(57)【特許請求の範囲】
【請求項１】
上枠、下枠及び左右の竪枠から成る矩形の窓枠と、上框、下框及び左右の竪框により矩形のパネルの四周を囲んで成る窓障子と、それぞれが複数のリンク腕により構成されて上記左右の竪枠の内側面と上記左右の竪框の外側面との間に設けられた、左右１対のリンク装置と、伸長方向の弾性を有し、伸長に伴って上記窓障子を上記窓枠外に押し出すダンパとを備え、上記各リンク装置は、上記各竪枠の内側面に昇降自在に支持されたスライダと、各スライダにそれぞれの一端を、上記各竪框の一端部にそれぞれの他端を、それぞれ枢支した第一のリンク腕と、上記各竪枠の中間部内側面にそれぞれの一端を、上記各竪框の中間部外側面にそれぞれの他端を、それぞれ枢支され、上記第一のリンク腕とほぼ平行に配置された第二のリンク腕と、これら各第二のリンク腕の中間部にそれぞれの一端を、上記各スライダにそれぞれの他端を、それぞれ枢支され、上記第一、第二のリンク腕の他端を枢支する軸同士を結ぶ直線に対してほぼ平行に設けられた第三のリンク腕とを備え、上記１対の第二のリンク腕のうちの少なくとも一方の第二のリンク腕の中間部には、第四のリンク腕の一端を枢支しており、上記ダンパは上記スライダが昇降する位置よりも窓装置の開放時に上記窓障子が押し出される側と反対側にずらせて、上記竪枠に沿って上記窓枠に、上記窓障子の開閉に伴って揺動しない状態で固定されており、このダンパの変位側端部には上記第四のリンク腕の他端が枢支されている開放装置付辷り出し窓装置。
【発明の詳細な説明】
【０００１】
【産業上の利用分野】
本発明の開放装置付辷り出し窓装置は、例えば排煙窓、或は換気窓として利用する。
【０００２】
【従来の技術】
室内で火災が発生した際に、室内に充満する煙を室外に排気する為、或は室内の空気が澱んでいる時に室内の空気を室外に排出し、代わりに室外の空気を室内に導入する為に、従来から各種の窓装置が使用されている。又、この様な部分に使用される窓装置には、伸長方向の弾力を有するダンパを組み込んで、このダンパにより、窓障子を開放方向に揺動させる様にしている。即ち、排煙或は換気を行なう為に施錠を解除すると、特に窓障子に手を添えなくても上記ダンパの弾力により上記窓障子が開放方向に揺動する様にしている。
【０００３】
図９は、この様な目的で従来から広く使用されている開放装置付窓装置を示している。上枠、下枠及び左右の竪枠から成る矩形の窓枠１の内側には、上框、下框及び左右の竪框により矩形のパネルの四周を囲んで成る窓障子２を、上記上框を上記上枠に枢支する事により建て込んでいる。又、上記竪枠と竪框との間には、ステイダンパと呼ばれる、伸長方向の弾力を有するダンパ３を設けている。
【０００４】
この様な開放装置付窓装置の場合、通常時には上記下枠と下框との間に設ける施錠装置により、上記窓障子２を上記窓枠１の内側に保持したままとする。これに対して、排煙或は換気を行なう際には、上記施錠装置を開錠する。この結果、上記ダンパ３の弾力により、上記窓障子２が窓枠１の内側から押し出される。開放した窓障子２を再び閉じる場合には、この窓障子２を人手により、或は別途設けた閉鎖用のケーブルにより、上記ダンパ３の弾力に抗して、上記施錠装置が作動するまで引っ張る。
【０００５】
【発明が解決しようとする課題】
図９に示す様な開放装置付窓装置は、次の様な解決すべき点を有する。
▲１▼  排煙や換気の効率が良くない。即ち、排煙や換気を効率良く行なわせる為には、窓障子全体を窓枠外に押し出す、辷り出し窓に開放装置を設ける事が好ましいが、図９に示した構造の場合には、窓障子２の上端部が窓枠１に結合されたままである為、排煙や換気の効率が良くない。
▲２▼  窓障子２が大きくなった場合には、この窓障子２の重量に合わせて大きなダンパ３を使用しなければならないが、図９に示した構造の場合には、このダンパ３を竪枠の内側面と竪框の外側面との間の隙間に設置しなければならない。この為、ダンパ３の外径が大きくなると、それに合わせて上記竪枠及び竪框の幅寸法（見付幅）が大きくなり、窓装置の意匠が悪くなる。
▲３▼  ダンパ３の押圧力を直接竪框に伝達する構造の為、このダンパ３の弾性が強くなると、この弾性に基づいて上記窓障子２がだれる（形状が変化する）可能性がある。そして、この窓障子２の下框と窓枠１を構成する下枠とが衝合し、窓装置を閉鎖できなくなる可能性がある。
▲４▼  ダンパ３の伸長量に対して窓障子２の揺動角度が特に拡大されないので、この窓障子２を十分に大きく開く為には、上記ダンパ２として十分に大きなストロークを有するものを使用しなければならない。
本発明の開放装置付辷り出し窓装置は、これら▲１▼〜▲４▼の問題を何れも解消すべく考えたものである。
【０００６】
【課題を解決するための手段】
本発明の開放装置付辷り出し窓装置は、上枠、下枠及び左右の竪枠から成る矩形の窓枠と、上框、下框及び左右の竪框により矩形のパネルの四周を囲んで成る窓障子と、それぞれが複数のリンク腕により構成されて上記左右の竪枠の内側面と上記左右の竪框の外側面との間に設けられた、左右１対のリンク装置と、伸長方向の弾性を有し、伸長に伴って上記窓障子を上記窓枠外に押し出すダンパとを備える。
【０００７】
そして、上記各リンク装置は、スライダと、第一〜第三のリンク腕とを有する。このうちのスライダは、上記各竪枠の内側面に昇降自在に支持されている。この為に、例えば上記各竪枠の内側面に係合溝を形成するか、或はこの内側面に係合溝を有するガイドブラケットを固定し、上記スライダをこれら係合溝に摺動のみ自在に係合させる。
【０００８】
一方、それぞれ窓障子の両側に配置して１対ずつ設けられた、上記第一〜第三のリンク腕のうち、各第一のリンク腕の一端は、上記各スライダに枢支している。又、これら各第一のリンク腕の他端は、それぞれ上記各竪框の一端部に枢支している。又、各第二のリンク腕は、上記各第一のリンク腕とほぼ平行に配置されている。そして、これら各第二のリンク腕の一端は、上記各竪枠の中間部内側面に枢支している。又、これら各第二のリンク腕の他端は、上記各竪框の中間部外側面に枢支している。
【０００９】
又、各第三のリンク腕の一端は、上記各第二のリンク腕の中間部にそれぞれ枢支している。そして、これら各第三のリンク腕の他端は、上記各スライダにそれぞれ枢支している。尚、これら各第三のリンク腕は、上記第一、第二のリンク腕の他端を枢支する軸同士を結ぶ直線に対してほぼ平行に設けられている。従って、上記各竪框の一部と上記各第一のリンク腕と上記各第二のリンク腕の一部と上記各第三のリンク腕とは、変形自在なリンク構造を構成する。
【００１０】
それぞれが上記第一〜第三のリンク腕により構成される、左右１対のリンク装置のうち、少なくとも一方のリンク装置には、第四のリンク腕を付加している。そして、この第四のリンク腕の一端を、上記１対の第二のリンク腕のうちの少なくとも一方の第二のリンク腕の中間部に枢支している。更に、上記ダンパは、上記スライダが昇降する位置よりも窓装置の開放時に上記窓障子が押し出される側と反対側にずらせて、上記竪枠に沿って上記窓枠に、上記窓障子の開閉に伴って揺動しない状態で固定されている。そして、このダンパの変位側端部に、上記第四のリンク腕の他端を枢支している。
【００１１】
【作用】
上述の様に構成される本発明の開放装置付辷り出し窓装置の作用は、次の通りである。先ず、窓開口を閉鎖すべく、窓障子を窓枠の内側に引き込むと、各竪框の一部と各第一のリンク腕と各第二のリンク腕の一部と各第三のリンク腕とは、変形自在なリンク構造が潰れて、上記窓障子が窓枠の内側に入り込む事を許容する。又、第四のリンク腕の他端がダンパを押し、このダンパの全長が弾性的に縮められる。この状態で、例えば下枠と下框との間に設けられた施錠装置を作動させれば（施錠すれば）、上記ダンパの弾力に拘らず、上記窓開口を閉鎖状態に保持できる。
【００１２】
次に、上記窓開口を開放する場合には、例えば上記施錠装置を解除する。この結果、上記ダンパの有する伸長方向の弾力により、上記第四のリンク腕が第二のリンク腕を押し、各第二のリンク腕を、それぞれの一端を中心に揺動させる。この結果、竪枠に沿ってスライダが摺動すると共に、このスライダにそれぞれの一端又は他端を枢支した第一、第三のリンク腕が、スライダ側の端部を中心に揺動する。この様に、第一〜第三のリンク腕が揺動する事に伴って、上記平行四辺形のリンク構造が開く。この状態では、上記窓障子全体が窓枠の外側に辷り出し、この窓障子の上下両端側と窓枠との間に隙間が生じる。
【００１３】
【実施例】
図１〜７は本発明の第一実施例を示している。図１は、本発明の開放装置付辷り出し窓装置の全体構成を、窓枠１の内側から窓障子２を屋外側に突き出した（辷り出させた）状態で示している。上記窓枠１は、それぞれがアルミニウム材の押し出し型材により造られた、上枠４と下枠５と左右の竪枠６、６とを組み合わせる事で矩形に構成されている。又、上記窓障子２は、やはりそれぞれがアルミニウム材の押し出し型材により造られた、上框７と下框８と左右の竪框９、９とにより、ガラスパネル１０等の矩形のパネルの四周を囲む事により構成されている。
【００１４】
上記窓枠１を構成する各竪枠６、６の内側面と、上記窓障子２を構成する各竪框９、９の外側面との間には、それぞれが複数のリンク腕により構成された、左右１対のリンク装置１１を設けている。又、これら１対のリンク装置１１のうち、一方又は双方のリンク装置１１と、当該リンク装置１１が対向する竪枠６の上端部内側面との間には、伸長方向の弾性を有するダンパ１２を、図２〜４に示す様に設けている。上記窓障子２は、このダンパ１２の伸長に伴って、上記１対のリンク装置１１の働きにより、上記窓枠１外に押し出される。
【００１５】
上記各リンク装置１１は、図２に示す様に、スライダ１３と、第一〜第三のリンク腕１４〜１６とを有する。このうちのスライダ１３は、例えばポリアミド樹脂等の滑り易い合成樹脂により造られて、上記各竪枠６、６の内側面に昇降自在に支持されている。この為に図示の実施例では、上記各竪枠９、９の内側面に、係合溝１７を有するガイドブラケット１８を固定している。このガイドブラケット１８は、例えばアルミニウム材の押し出し成形により造られており、内側面側開口部の幅が狭く、奥の幅が広くなった、あり溝状の係合溝１７を形成している。上記スライダ１３はこの係合溝１７に、鉛直方向に亙る摺動のみ自在に係合している。
【００１６】
一方、上記各リンク装置１１を構成する第一〜第三のリンク腕１４〜１６のうち、各第一のリンク腕１４の一端（下端）は、上記各スライダ１３に枢支している。又、これら各第一のリンク腕１４の他端（上端）は、それぞれ上記各竪框９、９の一端部（上端部）に枢支（軸により揺動変位自在に連結）している。この為に図示の実施例では、これら各竪框９、９の上部外側面に、変位側枢支ブラケット１９を固定している。この変位側枢支ブラケット１９は、鋼板等、十分な剛性を有する板材により造られて、上記各竪框９、９の上部外側面に、ねじ止め等により固定されている。上記第一のリンク腕１４の他端は、この変位側枢支ブラケット１９の上端部に枢支している。
【００１７】
又、各第二のリンク腕１５は、上記各第一のリンク腕１４と平行に配置されている。そして、これら各第二のリンク腕１５の一端（下端）は、上記各竪枠６、６の中間部内側面に枢支している。図示の実施例の場合には、上記各ガイドブラケット１８の下端部に固定側枢支ブラケット２０を固定し、この固定側枢支ブラケット２０に上記各第二のリンク腕１５の一端を枢支している。又、これら各第二のリンク腕１５の他端（上端）は、上記各竪框９、９の中間部外側面に枢支している。図示の実施例の場合には、これら各第二のリンク腕１５の他端を、上記変位側枢支ブラケット１９の下部に枢支している。
【００１８】
又、各第三のリンク腕１６の一端（下端）は、上記各第二のリンク腕１５の中間部に、それぞれ枢支している。そして、これら各第三のリンク腕１６の他端（上端）は、上記各スライダ１３にそれぞれ枢支している。尚、これら各第三のリンク腕１６は、上記第一、第二のリンク腕１４、１５の他端を枢支する軸同士を結ぶ直線（図示の実施例では上記変位側枢支ブラケット１９）に対して、平行に設けている。従って、上記各竪框９、９の一部である変位側枢支ブラケット１９と、上記各第一のリンク腕１４と、上記各第二のリンク腕１５の一部と、上記各第三のリンク腕１６とは、変形自在な略四辺形のリンク構造を構成する。
【００１９】
尚、図１〜７に示した第一実施例の場合には、各第一のリンク腕１４の一端と各第三のリンク腕１６の他端とは、上記各スライダ１３の上下２個所位置に、互いに独立して枢支している。但し、これら両リンク腕１４、１６の一端及び他端は、図８に示す第二実施例の様に、１個所で（１本の枢軸により）スライダ１３に対し枢支して、平行四辺形のリンク構造を構成しても良い。何れにしても、変位側枢支ブラケット１９と、上記各第一のリンク腕１４と、上記各第二のリンク腕１５の一部と、上記各第三のリンク腕１６とは、直線的に畳み得る程度に変形自在な、実質的に略四辺形若しくは四辺形のリンク構造を構成する必要がある。この為には、リンク構造の枢軸中心点のうち、上下２点間を他の枢軸中心点を通って結ぶ線分の合計長さ同士を、何れの側でも等しくする。例えば、図２で、点ａ−ｂ−ｃを結ぶ２線分の合計長さと、点ａ−ｄ−ｅ−ｃを結ぶ３線分の合計長さとは等しい。
【００２０】
それぞれが上記第一〜第三のリンク腕１４〜１６により構成される、左右１対のリンク装置１１のうち、少なくとも一方のリンク装置１１には、第四のリンク腕２１を付加している。尚、ダンパ１２と共に開放装置を構成する、この第四のリンク腕２１は、少なくとも一方のリンク装置１１の側に１本設ければ足りる。但し、上記ダンパ１２から窓障子２に加わる力が左右均一になる様にする為には、上記第四のリンク腕２１を、各リンク装置１１ごとに、左右１対設ける事が好ましい。
【００２１】
この様な第四のリンク腕２１の一端は、上記１対の第二のリンク腕１５の中間部で、上記第三のリンク腕１６の一端を枢支した部分よりも、上記第二のリンク腕１５の一端に寄った部分（下側）に枢支している。更に、この第四のリンク腕２１と共に開放装置を構成する上記ダンパ１２は、上記スライダ１３が昇降する位置よりも窓装置の開放時に上記窓障子２が押し出される側と反対側、即ち前記ガイドブラケット１８よりも屋内側（図２〜３の右側、図４の下側）にずらせて、前記竪枠６に沿って前記窓枠１に固定されている。即ち、この竪枠６の上端部に、鋼板等十分な剛性を有する板材により造られた固定ブラケット２２を固定し、この固定ブラケット２２に、上記ダンパ１２を構成するシリンダケース２３の上端部をねじ止め固定している。このダンパ１２のシリンダケース２３は、窓障子２の開閉に伴って揺動する事はない。そして、このダンパ１２の変位側端部であり、上記シリンダケース２３から弾性的に押し出されるロッド２４の下端部に、上記第四のリンク腕２１の他端（上端）を枢支している。
【００２２】
上述の様に構成される本発明の開放装置付辷り出し窓装置の作用は、次の通りである。先ず、窓開口を閉鎖すべく、窓障子２を窓枠１の内側に引き込むと、各竪框９、９に固定された変位側枢支ブラケット１９と、上記各第一のリンク腕１４と、上記各第二のリンク腕１５の一部と、上記各第三のリンク腕１６とは、変形自在な略四辺形のリンク構造が、上記各リンク腕１４、１５、１６が直線的に重なり合う程度まで潰れて、上記窓障子２が窓枠１の内側に入り込む事を許容する。この際、第四のリンク腕２１の一端が第二のリンク腕１５により押され、この第四のリンク腕２１の他端がダンパ１２を構成するロッド２４を押し上げて、このダンパ１２の全長を弾性的に縮める。この状態で、例えば下枠５と下框８との間に設けられた施錠装置を作動させれば（施錠すれば）、上記ダンパ１２の弾力に拘らず、上記窓開口を閉鎖状態に保持できる。
【００２３】
次に、上記窓開口を開放する場合には、例えば上記施錠装置を解除する。この結果、上記ダンパ１２の有する伸長方向の弾力により、上記第四のリンク腕２１が第二のリンク腕１５を押す。即ち、上記ロッド２４が上記第四のリンク腕２１を下方に押し、この第四のリンク腕２１が各第二のリンク腕１５を、それぞれの一端を中心に揺動させる。この結果、竪枠６に固定したガイドブラケット１８に沿ってスライダ１３が下方に摺動すると共に、このスライダ１３にそれぞれの一端又は他端を枢支した第一、第三のリンク腕１４、１６が、スライダ１３側の端部を中心に揺動する。この様に、第一〜第三のリンク腕１４〜１６が揺動する事に伴って、上記略四辺形のリンク構造が開く。尚、図示の実施例では、スライダ１３の下端部がストッパ板２５の上端部に突き当たる事により窓障子２の開度（四辺形のリンク構造の広がり）が規制される。この状態では、上記窓障子２全体が窓枠１の外側に辷り出し、この窓障子２の上下両端側と窓枠１との間に隙間が生じる。
【００２４】
尚、本発明の開放装置は、上方（上枠と上框との隙間）が大きく開口する所謂外倒し型の辷り出し窓にも使用できる。この場合、リンク装置を構成する各リンク腕の取り付け方向がそれぞれ上下逆（一端側が上端）になり、ダンパのロッドの伸長方向が上向きになる。この様な構造の場合、排煙や換気の効率をより向上させる事ができる。又、スライダ１３を係合させる為の係合溝１７は、必ずしも竪枠６と別体のガイドブラケット１８に設ける必要はない。竪枠６に対して直接係合溝１７を形成する事もできる。
【００２５】
更に、第四のリンク腕２１として、図２の右下方が突出する方向に曲がった「く」字形のものを使用し、この第四のリンク腕２１と第三のリンク腕１６の他端部との干渉を防止すれば、これら両リンク腕２１、１６同士をより近接配置できる。そして、ダンパ１２のストロークを小さくしても、窓障子の開度を十分に確保できる。
【００２６】
【発明の効果】
本発明の開放装置付辷り出し窓装置は、以上に述べた通り構成され作用するので、次の▲１▼〜▲４▼の様な優れた効果を得られる。
▲１▼  窓開口の開放時には、窓障子２全体が窓枠１から辷り出し、この窓障子２の上下両端部と窓枠１の上下両端部との間に何れも隙間が形成される為、排煙や換気の効率が良い。
▲２▼  窓障子２を押し出す為のダンパが大きくなっても、竪枠及び竪框の見付寸法を大きくする必要がなく、窓装置の意匠をすっきりしたものにできる。
▲３▼  ダンパの押圧力が直接竪框に伝達されない為、このダンパの弾性が強くなっても、窓障子２がだれる事がない。この為、だれに基づいて窓装置を閉鎖できなくなる事がなくなる。
▲４▼  ダンパの伸長量がリンク装置により拡大されて窓障子２に伝達されるので、このダンパとして徒に大きなストロークを有するものを使用する必要がない。
【図面の簡単な説明】
【図１】本発明の第一実施例を、窓開口を開放した状態で示す斜視図。
【図２】一部を省略して示す、図１の拡大Ａ−Ａ断面図。
【図３】図２の上端部拡大図。
【図４】図２の拡大Ｂ−Ｂ断面図。
【図５】図４のＣ−Ｃ視図。
【図６】図５の上半部拡大図。
【図７】同下半部拡大図。
【図８】本発明の第二実施例を示す、図２の中央部に相当する図。
【図９】従来構造の１例を示す略縦断側面図。
【符号の説明】
１    窓枠
２    窓障子
３    ダンパ
４    上枠
５    下枠
６    竪枠
７    上框
８    下框
９    竪框
１０    ガラスパネル
１１    リンク装置
１２    ダンパ
１３    スライダ
１４    第一のリンク腕
１５    第二のリンク腕
１６    第三のリンク腕
１７    係合溝
１８    ガイドブラケット
１９    変位側枢支ブラケット
２０    固定側枢支ブラケット
２１    第四のリンク腕
２２    固定ブラケット
２３    シリンダケース
２４    ロッド
２５    ストッパ板
【図１】
0003596955.tif 000002
【図２】
0003596955.tif 000003
【図３】
0003596955.tif 000004
【図４】
0003596955.tif 000005
【図５】
0003596955.tif 000006
【図６】
0003596955.tif 000007
【図７】
0003596955.tif 000008
【図８】
0003596955.tif 000009
【図９】
0003596955.tif 000010